(57)【要約】【課題】表示領域が限られている場合においても、複数の状態情報を分かりやすく正確に伝えることができる画像形成装置を提供する。【解決手段】装置の状態を示すステータス状態情報を表示部１１０に表示する画像形成装置において、ＣＰＵ１２０は、表示部１１０に表示すべきステータス状態情報が複数あるか否か判断する。また、ＣＰＵ１２０は、ステータス状態情報が複数あると判断した場合に、短縮メッセージ４０１を表示する。また、ＣＰＵ１２０は、ステータス状態情報が１つであると判断した場合に、詳細メッセージ４００を表示する。【選択図】図１
2010021938.tif 000002
【特許請求の範囲】
【請求項１】
装置の状態を示す状態情報を表示部に表示する表示装置において、
前記表示部に表示すべき状態が複数あるか否か判断する判断手段と、
前記判断手段により表示すべき状態が複数あると判断された場合に、当該表示すべき複数の状態それぞれを示す状態情報を第１の表示形式に従って表示する第１の表示手段と、
前記判断手段により表示すべき状態が１つであると判断された場合に、当該表示すべき状態を示す状態情報を第２の表示形式に従って表示する第２の表示手段と、
を備えることを特徴とする表示装置。
【請求項２】
前記第１の表示形式は、前記状態情報を簡略して前記表示部に納まるようにした短縮メッセージであり、前記第２の表示形式は、前記状態情報を簡略しない詳細メッセージであることを特徴とする請求項１記載の表示装置。
【請求項３】
前記詳細メッセージが前記表示部に納まらない場合に、前記第２の表示手段は、前記詳細メッセージを流れ文字表示することを特徴とする請求項２記載の表示装置。
【請求項４】
前記詳細メッセージが前記表示部に納まらない場合に、前記第２の表示手段は、前記詳細メッセージをトグル表示することを特徴とする請求項２記載の表示装置。
【請求項５】
装置の状態を示す状態情報を表示部に表示する画像形成装置において、
前記表示部に表示すべき状態が複数あるか否か判断する判断手段と、
前記判断手段により表示すべき状態が複数あると判断された場合に、当該表示すべき複数の状態それぞれを示す状態情報を第１の表示形式に従って表示する第１の表示手段と、
前記判断手段により表示すべき状態が１つであると判断された場合に、当該表示すべき状態を示す状態情報を第２の表示形式に従って表示する第２の表示手段と、
を備えることを特徴とする画像形成装置。
【請求項６】
装置の状態を示す状態情報を表示部に表示する表示方法において、
前記表示部に表示すべき状態が複数あるか否か判断する判断ステップと、
前記判断ステップにより表示すべき状態が複数あると判断された場合に、当該表示すべき複数の状態それぞれを示す状態情報を第１の表示形式に従って表示する第１の表示ステップと、
前記判断ステップにより表示すべき状態が１つであると判断された場合に、当該表示すべき状態を示す状態情報を第２の表示形式に従って表示する第２の表示ステップと、
を備えることを特徴とする表示方法。
【請求項７】
装置の状態を示す状態情報を表示部に表示する表示方法をコンピュータに実行させるプログラムにおいて、
前記表示方法は、
前記表示部に表示すべき状態が複数あるか否か判断する判断ステップと、
前記判断ステップにより表示すべき状態が複数あると判断された場合に、当該表示すべき複数の状態それぞれを示す状態情報を第１の表示形式に従って表示する第１の表示ステップと、
前記判断ステップにより表示すべき状態が１つであると判断された場合に、当該表示すべき状態を示す状態情報を第２の表示形式に従って表示する第２の表示ステップと、
を備えることを特徴とするプログラム。
【発明の詳細な説明】
【技術分野】
【０００１】
本発明は、表示装置及びその表示装置を備える画像形成装置、並びに表示方法及びプログラムに関する。
【背景技術】
【０００２】
表示面積の限られた表示部に複数の動作の進行状態を表示する技術として、複数の動作が実行されている場合に、表示部の表示領域を分割して、複数の動作状態を表示する技術がある（例えば、特許文献１参照）。
【特許文献１】特開平６−３３４８００号公報
【発明の開示】
【発明が解決しようとする課題】
【０００３】
しかしながら、上記特許文献１に記載されている表示技術では、表示領域の分割により１つの状態を表示する領域が狭くなってしまい、ユーザが現在発生している現象を把握し難いという問題がある。
【０００４】
本発明の目的は、表示領域が限られている場合においても、複数の状態情報を分かりやすく正確に伝えることができる表示装置及び画像形成装置を提供することにある。
【課題を解決するための手段】
【０００５】
上記目的を達成するために、請求項１記載の表示装置は、装置の状態を示す状態情報を表示部に表示する表示装置において、前記表示部に表示すべき状態が複数あるか否か判断する判断手段と、前記判断手段により表示すべき状態が複数あると判断された場合に、当該表示すべき複数の状態それぞれを示す状態情報を第１の表示形式に従って表示する第１の表示手段と、前記判断手段により表示すべき状態が１つであると判断された場合に、当該表示すべき状態を示す状態情報を第２の表示形式に従って表示する第２の表示手段とを備えることを特徴とする。
【０００６】
請求項５記載の画像形成装置は、装置の状態を示す状態情報を表示部に表示する画像形成装置において、前記表示部に表示すべき状態が複数あるか否か判断する判断手段と、前記判断手段により表示すべき状態が複数あると判断された場合に、当該表示すべき複数の状態それぞれを示す状態情報を第１の表示形式に従って表示する第１の表示手段と、前記判断手段により表示すべき状態が１つであると判断された場合に、当該表示すべき状態を示す状態情報を第２の表示形式に従って表示する第２の表示手段とを備えることを特徴とする。
【０００７】
請求項６記載の表示方法は、装置の状態を示す状態情報を表示部に表示する表示方法において、前記表示部に表示すべき状態が複数あるか否か判断する判断ステップと、前記判断ステップにより表示すべき状態が複数あると判断された場合に、当該表示すべき複数の状態それぞれを示す状態情報を第１の表示形式に従って表示する第１の表示ステップと、前記判断ステップにより表示すべき状態が１つであると判断された場合に、当該表示すべき状態を示す状態情報を第２の表示形式に従って表示する第２の表示ステップとを備えることを特徴とする。
【０００８】
請求項７記載のプログラムは、装置の状態を示す状態情報を表示部に表示する表示方法をコンピュータに実行させるプログラムにおいて、前記表示方法は、前記表示部に表示すべき状態が複数あるか否か判断する判断ステップと、前記判断ステップにより表示すべき状態が複数あると判断された場合に、当該表示すべき複数の状態それぞれを示す状態情報を第１の表示形式に従って表示する第１の表示ステップと、前記判断ステップにより表示すべき状態が１つであると判断された場合に、当該表示すべき状態を示す状態情報を第２の表示形式に従って表示する第２の表示ステップとを備えることを特徴とする。
【発明の効果】
【０００９】
本発明の表示装置によれば、表示領域が限られている場合においても、複数の状態情報を分かりやすく正確に伝えることができる。
【発明を実施するための最良の形態】
【００１０】
以下、本発明を図面を参照しながら詳細に説明する。
【００１１】
図１は、本発明の実施の形態に係る画像形成装置としての複写機のブロック図である。
【００１２】
図１において、ブロック間の矢印はデータもしくは指示の流れを示している。
【００１３】
本複写機は、複写機本体１００と、操作機能を有する表示部１１０を備える。
【００１４】
表示部１１０は、ユーザへの情報通知を行い、ユーザ指示を複写機内の各モジュールに伝える動作を行う。
【００１５】
複写機本体１００は、以下のモジュールを備える。
【００１６】
ＣＰＵ１２０は、各モジュールのプログラム実行を行う。スキャン部１３０は、原稿の読み込みを行い、画像を後段のモジュールに出力する。画像処理部１４０は、スキャン部１３０で読み取った画像や後述する外部Ｉ／Ｆ部１６０から入力されたデータの画像処理を行う。
【００１７】
画像保存部１５０は、画像処理部１４０で処理された画像及びその属性の記録を行う。外部Ｉ／Ｆ部１６０は、複写機本体１００の外部へ画像を送信し、外部からデータを入力する。プリント部１７０は画像を印刷する。
【００１８】
本ブロック図では、スキャン部１３０及びプリント部１７０を複写機本体１００の内部にある構成としたが、その一方もしくは両方とも外部にある構成でもよい。
【００１９】
尚、本画像形成装置は、表示部１１０の表示内容を制御する表示装置としても機能する。
【００２０】
図２は、図１における表示部１１０の表示の一例を示す図である。図３は、図１における表示部１１０のステータス表示エリア２１０を示す図である。
【００２１】
図３において、複写機（複写機本体１００）の状態を示すステータス表示エリア２１０に、図９を用いて後述するステータス状態情報（のメッセージ）を表示してユーザに通知する。本実施の形態では、このステータス表示エリア２１０に日本語全角文字で１１文字表示可能としている。
【００２２】
図４は、図３のステータス表示エリア２１０に、長いステータス状態情報のメッセージを流れ文字で表示する例を示す図である。
【００２３】
長いメッセージ２２０「ブラック／シアントナーが減少しました。トナーを用意して下さい」のうち、最初に表示できる部分は先頭の１１文字までである。残りのメッセージ２２９は一度に表示できないため、流れ文字表示の手法を用いて、メッセージを表示する。
【００２４】
徐々にメッセージ２２１〜２２４を右から左にスクロールさせ表示する。最後にはメッセージが表示されない状態２２５となるので、次に、メッセージ２２６のように、メッセージの最初から表示を始めるといったことを繰り返す。これらの制御により、ユーザに長いステータス状態情報のメッセージを伝えることができる。
【００２５】
図５は、図３のステータス表示エリア２１０に、長いステータス状態情報のメッセージを分割してトグル表示する第１の例を示す図である。
【００２６】
図４と異なり、長いメッセージを分割してトグル表示することで、ユーザに長いステータス状態情報のメッセージを伝えている。
【００２７】
長いメッセージ２３０「ブラック／シアントナーが減少しました。トナーを用意して下さい」のうち、最初に表示できる部分は先頭の１１文字までである。残りのメッセージ２３９は一度に表示できないため、メッセージ２３１と２３２に分割してトグル表示することでユーザにメッセージを伝えている。
【００２８】
図６は、図３のステータス表示エリア２１０に、複写機本体１００においてユーザに通知すべき複数のステータス状態情報が存在する場合の表示例を示す図である。
【００２９】
トナーの減少、原稿台の異常、ＦＡＸ受信の３つの状態をユーザに通知するため、以下の表示を行う。
【００３０】
即ち、「トナーが減少しました」のメッセージ２４０、「原稿台確認」のメッセージ２４１、「ＦＡＸ受診中です」のメッセージ２４２の３つをステータス表示エリア２１０に順番に表示する。
【００３１】
こうすることで、同時発生するステータス状態情報をユーザに通知することができる。
【００３２】
図７は、図３のステータス表示エリア２１０に、長いステータス状態情報のメッセージを分割してトグル表示する第２の例を示す図である。
【００３３】
図５と異なり、１つの長いメッセージを分割してトグル表示する際に、分割されたメッセージ２５０、２５１、２５２がトグル表示されることを示す記号を表示に含ませている。
【００３４】
このため、ユーザは長いステータス状態情報のメッセージが分割されて表示されることが分かる。長いメッセージ２３０「ブラック／シアントナーが減少しました。トナーを用意して下さい」のうち、最初に表示できる部分は先頭の１０文字までである。
【００３５】
表示の最後に分割されたことを示す記号（黒べた下三角印）を挿入するため、図５の表示方式より１文字少なくなっている。長いメッセージ２３０は、上述したように、メッセージ２５０から２５２まで３分割して表示される。
【００３６】
（第１の実施の形態）
図８は、図１の画像形成装置（表示装置）によって実行されるステータス状態情報のメッセージ表示処理の第１の実施の形態を示すフローチャートである。
【００３７】
本処理は、表示部１１０のステータス表示エリア２１０にステータス状態情報（以下、単に状態情報と呼ぶ場合もある）（のメッセージ）を表示する際に実行する。本処理は、複写機本体１００の状態変化時及び一定時間間隔でＣＰＵ１２０によって実行される。
【００３８】
まず、ＣＰＵ１２０は、ステップＳ１０００で状態情報の確認を行う。次に、ステップＳ１００１に進み、ＣＰＵ１２０は、状態情報の表示を行う必要があるかどうかのチェックを行う。
【００３９】
プリントなどのジョブ実行中であったり、トナーが無くなっていたり、なんらかの情報をユーザに通知する必要がある場合は、ステップＳ１００２へ進む。表示する必要がない場合は、ステップＳ１０３０へ進む。ステップＳ１０３０では、ステータス表示エリア２１０をクリアする。処理が終わるとフローチャートを抜ける。
【００４０】
ステップＳ１００２では、ＣＰＵ１２０は、表示すべき状態情報が２つ以上あるかチェックを行う。ユーザに通知すべき複数の状態情報が存在する場合、ステップＳ１００３へ進み、それ以外の場合はステップＳ１０１１へ進む。
【００４１】
ステップＳ１００２は、表示部１１０に表示すべき状態が複数あるか否か判断する判断手段として機能する。
【００４２】
ステップＳ１００３では、ＣＰＵ１２０は、最初に表示する状態情報を確定させる。次に、ステップＳ１００４で、ＣＰＵ１２０は、確定した状態情報に対応した短縮メッセージ４０１を取得する。短縮メッセージ４０１、詳細メッセージ４００の詳細については図９を用いて後述する。
【００４３】
ステップＳ１００４の処理の後にステップＳ１００５へ進み、ＣＰＵ１２０は、これからメッセージを表示するステータス表示エリア２１０をクリアする。そしてステップＳ１００６で、ＣＰＵ１２０は、ステータス表示エリア２１０に取得したメッセージを表示する。
【００４４】
ステップＳ１００６は、判断手段により表示すべき状態が複数あると判断された場合に、当該表示すべき複数の状態それぞれを示す状態情報を第１の表示形式に従って表示する第１の表示手段として機能する。ここで、第１の表示形式の状態情報とは、ステータス状態情報を簡略して表示部１１０に納まるようにした短縮メッセージ４０１である。
【００４５】
ステップＳ１００７では、ＣＰＵ１２０は、次に表示すべき状態情報が存在するかどうかの判断を行う。次に表示すべき状態情報が存在する場合は、ステップＳ１００８へ進み、存在しない場合はステップＳ１０００へ戻る。
【００４６】
ステップＳ１００８では、ＣＰＵ１２０は、次に表示する状態情報を確定し、ステップＳ１００４の処理へ戻る。このステップＳ１００３からステップＳ１００８のフローチャートを実行することで、図６のような複数の状態情報のトグル表示が可能となる。
【００４７】
ステップＳ１０１１では、ＣＰＵ１２０は、表示する状態情報を確定させる。次に、ステップＳ１０１２で、ＣＰＵ１２０は、確定した状態情報に対応した詳細メッセージ４００を取得する。
【００４８】
ステップＳ１０１２の処理の後に、ステップＳ１０１３へ進み、ＣＰＵ１２０は、これからメッセージを表示するステータス表示エリア２１０をクリアする。そして、ステップＳ１０１４で、ＣＰＵ１２０は、ステータス表示エリア２１０に取得したメッセージを表示する。この際に、ステップＳ１０１２で取得したメッセージが１２文字より長い場合は、メッセージの先頭１１文字までを表示する。
【００４９】
ステップＳ１０１４は、判断手段により表示すべき状態が１つであると判断された場合に、当該表示すべき状態を示す状態情報を第２の表示形式に従って表示する第２の表示手段として機能する。ここで、第２の表示形式の状態情報とは、ステータス状態情報を簡略しない詳細メッセージ４００である。
【００５０】
次に、ステップＳ１０１５で、ＣＰＵ１２０は、ステップＳ１０１４で表示したメッセージはステータス表示エリア２１０に納まったのかを判断する。メッセージがステータス表示エリア２１０に納まり、一度の表示で全てをユーザに伝えられた場合は、ステップＳ１０００へ戻る。
【００５１】
メッセージがステータス表示エリア２１０に納まらなかった場合は、ステップＳ１０１６に進む。ステップＳ１０１６では、ＣＰＵ１２０は、ステータス表示エリア２１０上で、ステップＳ１０１２で取得したメッセージを流れ文字表示する。流れ文字表示が終わるとステップＳ１０００へ戻る。この処理により図４のような表示が実現する。
【００５２】
図９は、ステータス状態情報の一覧を示す図である。
【００５３】
複写機本体１００のステータス状態情報を示すメッセージが格納されている。メッセージには詳細メッセージ４００と、それに対応する短縮メッセージ４０１が存在する。詳細メッセージ４００が１１文字を超える場合は、同じ内容を示す短縮メッセージ４０１を格納する。
【００５４】
短縮メッセージ４０１は、必ず、ステータス表示エリア２１０に納まるよう、１１文字以下で構成される。詳細メッセージ４００が１１文字以下の場合、短縮メッセージ４０１は詳細メッセージ４００と同じものを使用する。
【００５５】
以上説明した実施の形態により、１つのメッセージ表示に使用する表示領域を狭めることなく、同時に発生している複数のステータス状態情報をユーザに正確に伝えることが可能となる。具体的には、１つのメッセージ表示のみ行えばよいときは、流れ文字表示による詳細メッセージを用いた通知を行う。このため、ユーザは正確に状態情報を知ることができる。
【００５６】
一方、複数のメッセージ表示を行う必要がある場合は、短縮メッセージ４０１を用いた通知を行う。一回の表示で１つの状態を通知できるため、例えば、３つのメッセージ通知に際して、３回の画面表示でユーザに全ての状態を通知できる。複数の状態情報の通知に際して、分かりやすいが表示に時間がかかる流れ文字を用いないことで、ユーザに短時間で分かりやすく複数の状態情報を通知することが可能となる。
【００５７】
（第２の実施の形態）
図１０は、図１の画像形成装置（表示装置）によって実行されるステータス状態情報のメッセージ表示処理の第２の実施の形態の要部を示すフローチャートである。
【００５８】
図１０のフローチャートは、図８のフローチャートにおいて、ステップＳ１００４からステップＳ１００６の制御を変更したものである。具体的な変更部分について以下に説明する。尚、他の部分の制御は図８のフローチャートと同一である。
【００５９】
ステップＳ１００３において、ＣＰＵ１２０は、最初に表示する状態情報を確定させる。次に、ステップＳ１００４−１へ進み、ＣＰＵ１２０は、確定した状態情報に対応した詳細メッセージ４００を取得する。
【００６０】
ステップＳ１００４−１の処理の後にステップＳ１００５へ進み、ＣＰＵ１２０は、これからメッセージを表示するステータス表示エリア２１０をクリアする。そしてステップＳ１００６で、ＣＰＵ１２０は、ステータス表示エリア２１０に取得したメッセージを表示する。この際に、ステップＳ１００４−１で取得したメッセージが１２文字より長い場合は、メッセージの先頭１１文字までを表示する。
【００６１】
次にステップＳ１００６−１で、ＣＰＵ１２０は、ステップＳ１００６で表示したメッセージは、ステータス表示エリア２１０に納まったのかを判断する。メッセージがステータス表示エリア２１０に納まり、一度の表示でメッセージ全体をユーザに伝えられた場合は、ステップＳ１００７へ進む。
【００６２】
メッセージがステータス表示エリア２１０に納まらなかった場合は、ステップＳ１００６−２（第２の表示手段）に進む。ステップＳ１００６−２では、ＣＰＵ１２０は、ステータス表示エリア２１０上で、ステップＳ１００４−１で取得したメッセージを分割し、図５のようにトグル表示する。トグル表示が終わるとステップＳ１００７へ進む。この処理により図５のような表示が実現する。
【００６３】
一方で、上記の表示処理において、１１文字単位の表示ではなく、１０文字単位の分割表示とし、メッセージが分割された記号“下三角”等を挿入してもよい。この処理により図７の表示が実現する。
【００６４】
以上説明した実施の形態により、１つのメッセージ表示に使用するステータス表示エリア２１０を狭めることなく、同時に発生している複数の状態情報をユーザに正確に伝えることが可能となる。具体的には、１つのメッセージ表示のみ行えばよいときは、流れ文字表示による詳細メッセージを用いた通知を行う。このため、ユーザは正確に状態情報を知ることができる。
【００６５】
一方、複数のメッセージ表示を行う必要がある場合は、長いメッセージの分割表示を行う。複数の状態情報の通知に際して、メッセージの長さを変更することなく、１つの状態情報状態の通知時と同じ分量の情報通知を行うため、ユーザに分かりやすく複数の状態情報を通知することが可能となる。このような表示制御を行うことで、第１の実施の形態のように、１つの状態に対して詳細メッセージと短縮メッセージの２つを持つ必要がなくなる。
【００６６】
（第３の実施の形態）
図１１は、図１の画像形成装置（表示装置）によって実行されるステータス状態情報のメッセージ表示処理の第３の実施の形態の要部を示すフローチャートである。
【００６７】
図１１のフローチャートは、図８のフローチャートにおいて、ステップＳ１００４からステップＳ１００６の制御を変更したものである。具体的な変更部分について以下に説明する。尚、他の部分の制御は図８のフローチャートと同一である。
【００６８】
また、図１０と同一の処理は、同一のステップ番号を付して重複する説明は省略する。
【００６９】
ステップＳ１００６−１で、ＣＰＵ１２０は、ステップＳ１００６で表示したメッセージはステータス表示エリア２１０に納まったのかを判断する。メッセージがステータス表示エリア２１０に納まり、一度の表示でメッセージ全体をユーザに伝えられた場合は、ステップＳ１００７へ進む。
【００７０】
メッセージがステータス表示エリア２１０に納まらなかった場合は、ステップＳ１００６−３に進む。ステップＳ１００６−３では、ＣＰＵ１２０は、ステータス表示エリア２１０上で、ステップＳ１００４−１で取得したメッセージを流れ文字表示する。
【００７１】
次に、ステップＳ１００６−４で、ＣＰＵ１２０は、流れ文字表示が終わったかどうかの判断を行う。流れ文字表示が終わった場合は、ステップＳ１００６−５へ進み、終わっていない場合はステップＳ１００６−３へ戻って流れ文字表示の続きを行う。ステップＳ１００６−５では、ＣＰＵ１２０は、所定時間ウェイト（待機）を行い、ステップＳ１００７へ進む。
【００７２】
以上説明した実施の形態により、１つのメッセージ表示に使用するステータス表示エリア２１０を狭めることなく、同時に発生している複数の状態情報をユーザに正確に伝えることが可能となる。具体的には、複数のメッセージ表示を行う必要がある場合は、それぞれのステータス状態情報のメッセージを流れ文字表示するが、流れ文字表示が終わった後に、所定時間のウェイトを入れ、次のメッセージ表示を行うようにする。
【００７３】
このような表示制御を行うことで、第１の実施の形態のように、１つの状態に対して詳細メッセージと短縮メッセージの２つを持つ必要がなくなる。また、流れ文字の文字数に関わらず確実に流れ文字表示が完了してから次のメッセージのトグル表示が行える。そのため、ユーザに伝えたい内容の文字数が多い場合に、流れ文字途中で次のメッセージに切り替わるという表示上の問題を回避することが可能となる。
【００７４】
（その他の実施例）
本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（又はＣＰＵやＭＰＵ等）が記憶媒体に格納されたプログラムコードを読み出す処理である。
【００７５】
この場合、記憶媒体から読み出されたプログラムコード自体が前述した実施の形態の機能を実現することになり、そのプログラムコード及び該プログラムコードを記憶した記憶媒体は本発明を構成することになる。
【００７６】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。又は、プログラムコードをネットワークを介してダウンロードしても良い。
【００７７】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部又は全部を行い、その処理によって前述した実施形態の機能が実現される場合も含まれる。
【００７８】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部又は全部を行う場合である。
【図面の簡単な説明】
【００７９】
【図１】本発明の実施の形態に係る画像形成装置としての複写機のブロック図である。
【図２】図１における表示部１１０の表示の一例を示す図である。
【図３】図１における表示部１１０のステータス表示エリア２１０を示す図である。
【図４】図３のステータス表示エリア２１０に、長いステータス状態情報のメッセージを流れ文字で表示する例を示す図である。
【図５】図３のステータス表示エリア２１０に、長いステータス状態情報のメッセージを分割してトグル表示する第１の例を示す図である。
【図６】図３のステータス表示エリア２１０に、複写機本体１００においてユーザに通知すべき複数のステータス状態情報が存在する場合の表示例を示す図である。
【図７】図３のステータス表示エリア２１０に、長いステータス状態情報のメッセージを分割してトグル表示する第２の例を示す図である。
【図８】図１の画像形成装置（表示装置）によって実行されるステータス状態情報のメッセージ表示処理の第１の実施の形態を示すフローチャートである。
【図９】ステータス状態情報の一覧を示す図である。
【図１０】図１の画像形成装置（表示装置）によって実行されるステータス状態情報のメッセージ表示処理の第２の実施の形態の要部を示すフローチャートである。
【図１１】図１の画像形成装置（表示装置）によって実行されるステータス状態情報のメッセージ表示処理の第３の実施の形態の要部を示すフローチャートである。
【符号の説明】
【００８０】
１００  複写機本体
１１０  表示部
１２０  ＣＰＵ
１３０  スキャン部
１４０  画像処理部
１５０  画像保存部
１６０  外部Ｉ／Ｆ部
１７０  プリント部
【図１】
2010021938.tif 000003
【図２】
2010021938.tif 000004
【図３】
2010021938.tif 000005
【図４】
2010021938.tif 000006
【図５】
2010021938.tif 000007
【図６】
2010021938.tif 000008
【図７】
2010021938.tif 000009
【図８】
2010021938.tif 000010
【図９】
2010021938.tif 000011
【図１０】
2010021938.tif 000012
【図１１】
2010021938.tif 000013